(57)【要約】【課題】ユーザの利便性とセキュリティの向上を両立させたキーレスロックシステムを提供する。【解決手段】携帯電話機１０では、データ暗号化処理部１０９において音声認識処理部１０５等により認識された生体データおよび携帯電話番号や製造番号等の携帯電話機毎に異なる情報を符号化し、通信制御部１１０により携帯電話回線網２０を介してまたは直接施解錠装置３０に送信する。施解錠装置３０では、携帯電話機１０からの生体データと携帯電話番号等の両方を用いて認証を行いロック部３０１の施錠／解錠を行う。生体情報と携帯電話機に特有な情報との両方により認証を行うので、生体情報が盗用された場合でも他人によるなりすましを防げる。携帯電話機１０と施解錠装置３０とが直接通信を行えるので、基地局からの電波が届かない場所でも使用できる。【選択図】図１
2005290739.tif 000002
【特許請求の範囲】
【請求項１】
キーを用いることなく施解錠を行うことができるキーレスロックシステムであって、
生体データの入力を行うための生体データ入力装置と、前記生体データ入力装置から入力された生体データの認識処理を行う認識処理部と、前記認識処理部において認識された生体データおよび携帯電話機毎に異なる情報の符号化を行うデータ暗号化処理部と、前記データ暗号化処理部により符号化された生体データおよび携帯電話機毎に異なる情報を携帯電話回線網を介してまたは直接送信する第１の通信制御部とを備えた携帯電話機と、
施錠を行いたい対象を機械的に施解錠するロック部と、認証を行うユーザの生体データが予め記憶されている個人生体データ記憶部と、前記携帯電話機から送信されてきた生体データと携帯電話機毎に異なる情報を受信する第２の通信制御部と、前記第２の通信制御部からの生体データと携帯電話機毎に異なる情報を復号するデータ暗号解読処理部と、前記データ暗号解読処理部により復号された生体データと、前記個人生体データ記憶部に予め登録されている生体データとが一致し、かつ、予め登録された携帯電話機毎に異なる情報と、前記データ暗号解読処理部により復号された携帯電話機毎に異なる情報とが一致した場合に、前記ロック部の施錠または解錠を行うロック制御部と、から構成された施解錠装置と、
から構成されているキーレスロックシステム。
【請求項２】
前記携帯電話機毎に異なる情報が、当該携帯電話機の電話番号である請求項１記載のキーレスロックシステム。
【請求項３】
前記携帯電話機毎に異なる情報が、当該携帯電話機の製造番号である請求項１記載のキーレスロックシステム。
【請求項４】
前記第１の通信制御部と前記第２の通信制御部とは、無線ＬＡＮにより直接通信を行う請求項１から３のいずれか１項記載のキーレスロックシステム。
【請求項５】
前記第１の通信制御部と前記第２の通信制御部とは、赤外線通信により直接通信を行う請求項１から３のいずれか１項記載のキーレスロックシステム。
【発明の詳細な説明】
【技術分野】
【０００１】
本発明は、キーを用いることなく施解錠を行うことができるキーレスロックシステムに関する。
【背景技術】
【０００２】
従来のキーロックシステムでは、車などでキーをつけたままドアのロックをしてしまったり、キーの紛失および盗難の際には、キーロックが解除できなくなってしまい、キーロックの解除を行うためには専門の業者の方にきてもらいキーロックを解除してもらうしかなかった。また、このような従来のキーを使用した施錠システムであると、キーを紛失および盗難に遭遇した場合等に、関係ない第３者にロックを解錠されてしまうという危険性があった。
【０００３】
このような問題点を解消して利便性とセキュリティの向上を図ったロックシステムとして、正当な権限を有するユーザの生体情報を予め登録しておき、この生体情報を利用してユーザの認証を行いロックの解錠・施錠を行うようにしたキーレスロックシステムが提案されている（例えば、特許文献１参照。）。
【０００４】
しかし、単に生体情報を用いてユーザの認証を行うようにしただけでは、所定語句や声紋データを悪意のある第三者に録音されてしまった場合等に、第三者による不正な解錠を防ぐことができない。特に音声等は録音することにより比較的容易に盗用することが可能であるため生体情報のみを用いた場合では他人によるなりすましを防ぐを完全に防ぐことはできない。
【０００５】
また、従来のキーロックシステムでは、解錠を行う者が施錠された場所にいなければならないため、様々な不便さがある。例えば、親が外出中に子供が帰宅する場合がある。そのときに子供が携帯電話を持っていない場合やキーレスロックシステムに子供の認証データが登録されていない場合には、普通は子供は家の中に入ることができない。また、外出先で自宅の玄関の施錠を忘れていたことに気づいた場合でも、外出先から自宅に戻らなければ施錠を行うことができない。
【０００６】
このような不便さを解消するために、携帯電話機を用いて遠隔地から施解錠を行うことができるようにしたキーレスロックシステムが提案されている（例えば、特許文献２、３参照。）。
【０００７】
しかし、上記の特許文献２記載のシステムでは、ドライバー識別センタにおいて認証を受ける必要があり、また上記の特許文献３記載のシステムでは、インターネット上の管理サーバを介さないと施解錠を行うことができない。そのため、施錠を行いたい対象が携帯電話システムの基地局からの電波の届かないエリアにある場合には用いることができない。例えば、都市から遠く離れた山中の駐車場に車を停めた場合、目の前に車があったとしても解錠を行うことができない。
【特許文献１】特開２００３−２７７８８号公報
【特許文献２】特開２００１−２４１２２９号公報
【特許文献３】特開２００２−２８８７５０号公報
【発明の開示】
【発明が解決しようとする課題】
【０００８】
上述した従来のキーレスロックシステムでは、下記のような問題点があった。
（１）生体情報を用いて認証を行うシステムでは、生体情報そのものを盗用された場合に他人によるなりすましを防ぐことができない。
（２）携帯電話機を用いてサーバ等にアクセスして認証を行うシステムでは、携帯電話システムの基地局からの電波が届かない場所では用いることができない。
【０００９】
本発明の目的は、生体情報を盗用された場合でも他人のなりすましを防ぐことができ、携帯電話システムの基地局からの電波が届かない場所でも使用することができ、ユーザの利便性とセキュリティの向上を両立させたキーレスロックシステムを提供することである。
【課題を解決するための手段】
【００１０】
上記目的を達成するために、本発明のキーレスロックシステムは、キーを用いることなく施解錠を行うことができるキーレスロックシステムであって、
生体データの入力を行うための生体データ入力装置と、前記生体データ入力装置から入力された生体データの認識処理を行う認識処理部と、前記認識処理部において認識された生体データおよび携帯電話機毎に異なる情報の符号化を行うデータ暗号化処理部と、前記データ暗号化処理部により符号化された生体データおよび携帯電話機毎に異なる情報を携帯電話回線網を介してまたは直接送信する第１の通信制御部とを備えた携帯電話機と、
施錠を行いたい対象を機械的に施解錠するロック部と、認証を行うユーザの生体データが予め記憶されている個人生体データ記憶部と、前記携帯電話機から送信されてきた生体データと携帯電話機毎に異なる情報を受信する第２の通信制御部と、前記第２の通信制御部からの生体データと携帯電話機毎に異なる情報を復号するデータ暗号解読処理部と、前記データ暗号解読処理部により復号された生体データと、前記個人生体データ記憶部に予め登録されている生体データとが一致し、かつ、予め登録された携帯電話機毎に異なる情報と、前記データ暗号解読処理部により復号された携帯電話機毎に異なる情報とが一致した場合に、前記ロック部の施錠または解錠を行うロック制御部と、から構成された施解錠装置と、
から構成されている。
【００１１】
本発明によれば、携帯電話機では、認証を行うとするユーザの生体情報と携帯電話機毎に異なる固有の情報とを施解錠装置に送信し、施解錠装置では、生体情報と携帯電話機毎に異なる情報との両方により認証を行うようにしているので、生体情報が盗用された場合でも他人によるなりすましを防ぐことができる。また、携帯電話回線網を介してだけではなく、携帯電話機と施解錠装置とが直接通信を行うことができるので、携帯電話システムの基地局からの電波が届かない場所でも使用することができる。
【００１２】
前記携帯電話機毎に異なる情報として、当該携帯電話機の電話番号を用いてもよいし、当該携帯電話機の製造番号を用いるようにしてもよい。
【００１３】
また、前記第１の通信制御部と前記第２の通信制御部とは、無線ＬＡＮにより直接通信を行うようにしてもよいし、赤外線通信により直接通信を行うようにしてもよい。
【発明の効果】
【００１４】
以上説明したように、本発明によれば、下記のような効果を得ることができる。
（１）生体情報と携帯電話機毎に異なる情報との両方により認証を行うようにしているので、生体情報が盗用された場合でも他人によるなりすましを防ぐことができる。
（２）携帯電話機と施解錠装置とが直接通信を行うことができるので、携帯電話システムの基地局からの電波が届かない場所でも使用することができる。
【発明を実施するための最良の形態】
【００１５】
次に、本発明の一実施形態のキーレスロックシステムについて図面を参照して詳細に説明する。
【００１６】
本実施形態のキーレスロックシステムは、市場に多く普及している携帯電話機の通信機能を使用することでロックシステムの利便性を確保し、声紋データ認証／指紋データ認証／虹彩認証／網膜パターン認証等の生体データを個人認証に使用してセキュリティを確保し、キーを使用せずに安全かつ容易に家や車などのロックを施錠／解錠を行うことができるキーレスロックシステムに対して本発明を適用したものである。
【００１７】
図１は本発明の一実施形態のキーレスロックシステムの構成を示すブロック図である。本実施形態のキーレスロックシステムは、図１に示されるように、携帯電話機１０と施解錠装置３０とから構成されている。そして、この携帯電話機１０と施解錠装置３０とが携帯電話回線網２０により接続されている。
【００１８】
また、携帯電話機１０は、音声データの入力を行う音声入力装置１０１、映像データの入力を行う映像入力装置１０２、指紋データの入力を行う指紋入力装置１０３、その他の生体データ入力装置１０４と、音声認識処理部１０５、映像認識処理部１０６、指紋認証処理部１０７、その他の認識処理部１０８と、データ暗号化処理部１０９と、通信制御部（無線部）１１０とを備えている。ここでは、携帯電話機１０における通話のために必要な構成等については省略して説明する。
【００１９】
音声認識処理部１０５は、音声入力装置１０１から入力された音声データから、声紋／発話語等の生体データの認識処理を行う。映像認識処理部１０６は、映像入力装置１０２から入力された映像データから、虹彩／網膜パターン等の生体データの認識処理を行う。指紋認識処理部１０７は、指紋入力装置１０３から入力された指紋データから、指紋パターンの認証処理を行う。その他の認識処理部１０８は、その他の生体データ入力装置１０４から入力されたデータから、生体データの認識を行う。
【００２０】
データ暗号化処理部１０９は、音声認識処理部１０５、映像認識処理部１０６、指紋認識処理部１０７、その他の認識処理部１０８において認識された生体データおよび携帯電話機毎に異なる情報を符号化（暗号化）する。
【００２１】
通信制御部（無線部）１１０は、データ暗号化処理部１０９において符号化された後の生体データおよび携帯電話機毎に異なる情報を携帯電話回線網２０を介してまたは直接施解錠装置３０に送信する。
【００２２】
ここで、携帯電話機毎に異なる情報としては、当該携帯電話機の電話番号や製造番号を用いることができる。携帯電話機の電話番号や製造番号は、唯一のものでありこのような特有の情報と生体データとを組み合わせることによりセキュリティの向上を図ることができる。
【００２３】
そして、通信制御部１１０では、施解錠装置３０までの距離が遠い場合には携帯電話回線網２０を用いて生体データと携帯電話機毎に異なる情報とを施解錠装置３０に送信するが、施解錠装置３０までの距離が近距離の場合には、無線ＬＡＮ等による通信によりこれらの情報を施解錠装置３０に直接送信するようにしてもよい。
【００２４】
施解錠装置３０は、図１に示されるように、施錠を行いたい対象を機械的に施解錠するロック部３０１と、ロック制御部３０２と、データ暗号解読処理部３０３と、通信制御部（無線部）３０４と、個人生体データ記憶部３０５とから構成されている。
【００２５】
個人生体データ記憶部３０５には、声紋／発話語／虹彩／網膜パターン／指紋パターン等の、認証を行うユーザの生体データが予め記憶されている。
【００２６】
通信制御部（無線部）３０４は、携帯電話機１０から送信されてきた生体データと携帯電話機毎に異なる情報を受信して、データ暗号解読処理部３０３に出力する。
【００２７】
データ暗号解読処理部３０３は、通信制御部３０４からの生体データと携帯電話機毎に異なる情報の暗号を解読することにより復号し、符号化されていない生体データおよび符号化されていない携帯電話機毎に異なる情報とを取得する。
【００２８】
ロック制御部３０２は、データ暗号解読処理部３０３により復号された生体データと、個人生体データ記憶部３０５に予め登録されている生体データとが一致し、かつ、予め登録された携帯電話機毎に異なる情報と、データ暗号解読処理部３０３により復号された携帯電話機毎に異なる情報とが一致した場合に、ロック部３０１の施錠または解錠を行う
次に、本実施形態のキーレスロックシステムの動作を図面を参照して詳細に説明する。
【００２９】
先ず、正当な権限を有するユーザの生体情報を施解錠装置３０の個人生体データ記憶部３０５に格納しておく。また、携帯電話機１０の電話番号または製造番号を、携帯電話機毎に異なる情報としてロック制御部３０２に記憶させておく。ここでは、予め登録した生体データが指紋データであり、携帯電話機毎に異なる情報として電話番号を用いる場合について説明する。
【００３０】
そして、入力装置１０１〜１０４のうちから、予め登録した生体データに対応したものを選択して生体データを入力する。ここでは、予め登録した生体データが指紋データであるため、指紋入力装置１０３により指紋データを入力する。そして、この指紋データは指紋認識処理部１０７により認識処理され指紋パターンが得られ、この指紋パターンのデータはデータ暗号化処理部１０９により符号化される。また、携帯電話番号の情報もデータ暗号化処理部１０９において符号化される。そして、この符号化された指紋パターンのデータと携帯電話電話番号の情報は、携帯電話回線網２０を介してまたは直接施解錠装置３０に送信される。
【００３１】
携帯電話機１０から直接無線で送られてきた、または携帯電話回線網２０を経由して送られてきた暗号化された生体データは通信制御部(無線部)３０４により受信される。そして、データ暗号解読処理部３０３では、暗号化された生体データの暗号を解読し、暗号化されていない生の生体データおよび暗号化されていない携帯電話番号の情報を取得する。
【００３２】
ロック制御部３０２は、携帯電話機１０から送信されてきた生体データと、個人生体データ記憶部３０５にあらかじめ登録されている生体データとの比較を行う。また、ロック制御部３０２は、予め登録された電話番号と、携帯電話機１０から送られてきた携帯電話番号との比較を行う。そして、携帯電話機１０から送信されてきた生体データと、個人生体データ記憶部３０５にあらかじめ登録されている生体データとが一致し、かつ、予め登録された電話番号と、携帯電話機１０から送られてきた携帯電話番号とが一致した場合、ロック部３０１の施錠または解錠を行う。
【００３３】
本実施形態のキーレスロックシステムでは、携帯電話機１０を用いて携帯電話回線網２０を介して施解錠装置３０に生体データ等の情報を送信するようにしているので、遠隔地からの施錠および解錠ができ、ロックをかけ忘れた場合にも外出先から施錠を行うことができる。
【００３４】
また、親が外出中に子供が帰宅したような場合であって、その子供が携帯電話機を持っていなかったり、キーレスロックシステムに子供の認証データが登録されていない場合であっても、本実施形態のキーレスロックシステムによれば、子供が公衆電話等から親の携帯電話に電話をし、親が無線通信(電話回線網等)を行い施解錠装置３０にアクセスし解錠を行うことにより、遠隔地からも安全な解錠を行うことができる。
【００３５】
本実施形態のキーレスロックシステムでは、生体情報と携帯電話機に特有な情報との両方により認証を行うようにしているので、生体情報が盗用された場合でも他人によるなりすましを防ぐことができる。
【００３６】
さらに、本実施形態のキーレスロックシステムでは、携帯電話機１０と施解錠装置３０とが直接通信を行うことができるので、携帯電話システムの基地局からの電波が届かない場所でも使用することができる。
【００３７】
本実施形態では、携帯電話機１０の通信制御部１１０と施解錠装置３０の通信制御部３０４とが直接通信する場合に、無線ＬＡＮ等による無線通信により行われるものとして説明したが、本発明はこれに限定されるものではなく、赤外線通信、音声通信等の情報を直接送信することができる機能を用いた場合でも同様に本発明を適用することができるものである。
【図面の簡単な説明】
【００３８】
【図１】本発明の一実施形態のキーレスロックシステムの構成を示すブロック図である。
【符号の説明】
【００３９】
１０    携帯電話機
２０    携帯電話回線網
３０    施解錠装置
１０１    音声入力装置
１０２    映像入力装置
１０３    指紋入力装置
１０４    その他の生体データ入力装置
１０５    音声認識処理部
１０６    映像認識処理部
１０７    指紋認証処理部
１０８    その他の認識処理部
１０９    データ暗号化処理部
１１０    通信制御部
３０１    ロック部
３０２    ロック制御部
３０３    データ暗号解読処理部
３０４    通信制御部
３０５    個人生体データ記憶部
【図１】
2005290739.tif 000003